(57)【要約】【課題】簡単な構成で、出射コネクタが接続されている状態においてのみ検出コネクタを接続した状態に設定できる光伝送装置を提供する。【解決手段】装置本体３の正面の開口部２０には、下側の第１のレセプタクル１１と上側の第２のレセプタクル１２とが隣接して設けられ、第１のレセプタクル１１に出射コネクタを形成する照明コネクタ９を接続することにより、この照明コネクタ９の上面が検出コネクタ１０を第２のレセプタクル１２に接続する際のガイドになると共に、接続された際の検出コネクタ１０の底面に接触して、検出コネクタ１０を接続状態に保持する保持部を兼ねる構造にしている。【選択図】図９
2017023605.tif 000002
【特許請求の範囲】
【請求項１】
筐体と、
前記筐体内に配置され、照明光を出力する光源と、
前記筐体に設けられ、かつ第１のコネクタが接続可能であり、接続された第１のコネクタに前記光源からの照明光を入射させる出射レセプタクル部と、
前記筐体内に配置され、光を検出する光検出部と、
前記筐体に設けられ、かつ前記第１のコネクタとは異なる第２のコネクタが接続可能であり、接続された第２のコネクタから出射される光を前記光検出部に入射させる検出レセプタクル部と、
前記出射レセプタクル部に接続される前記第１のコネクタとして、前記出射レセプタクル部から入射される前記照明光を被検体に照射するための挿入部に導波する出射コネクタと、
前記検出レセプタクル部に接続される前記第２のコネクタとして、前記挿入部に入射された前記被検体からの光を導波して前記光検出部に出射し、かつ前記検出レセプタクル部に接続されている状態において前記出射コネクタと接触することで前記検出レセプタクル部との接続が保持される検出コネクタと、
を有することを特徴とする光伝送装置。
【請求項２】
前記出射コネクタは、前記検出コネクタと接触する接触面において接続方向に沿って設けられる凹形状または凸形状であるガイド部を有し、
前記検出コネクタは、前記出射コネクタと接触する接触面において前記出射コネクタにおける前記ガイド部と嵌合する嵌合部を有することを特徴とする請求項１に記載の光伝送装置。
【請求項３】
さらに、前記検出コネクタが前記検出レセプタクル部と接続されているか否かを検知する接続検知部を有し、
前記接続検知部において前記検出コネクタが前記検出レセプタクル部に接続されていることが検知された場合に、前記照明光を出力するように前記光源を制御する制御部と、
を有することを特徴とする請求項1に記載の光伝送装置。
【請求項４】
前記検出レセプタクル部は、前記筐体における前記出射レセプタクル部の上部に配置され、
前記検出コネクタは、前記出射レセプタクル部に接続される前記出射コネクタの上面と接触することを特徴とする請求項1に記載の光伝送装置。
【請求項５】
前記光源は、レーザ光を出力するレーザ光源であることを特徴とする請求項1に記載の光伝送装置。
【発明の詳細な説明】
【技術分野】
【０００１】
本発明は、コネクタを介して照明光を出射する光伝送装置に関する。
【背景技術】
【０００２】
医療分野等においては、照明光を発生する光源を備え、この光源から照明光を出射するための第１のコネクタとしての出射コネクタを接続可能とする第１のレセプタクル（コネクタ受け）としての出射レセプタクルと、光源による照明光を被検体に照射した、被検体からの戻り光又は検出光を検出し、導波された第２のコネクタとしての検出コネクタが接続可能とする第２のレセプタクル（コネクタ受け）としての検出レセプタクルとを備えた内視鏡装置等の光伝送装置が実用化されている。 
例えば、第１の従来例としての特開２０１１−５０４１７号公報の医療用観察システムにおけるプロセッサは、レーザ光源を有し、レーザ光を走査型医療用プローブのシングルモードファイバに入射させるためのコネクタ部が接続されるコネクタ部（レセプタクル）を備える。また、被写体からの反射光を検出する検出用ファイバの基端もコネクタ部及びレセプタクルとの連結部を介してプロセッサの光分離器に結合される。 
また、第２の従来例としての特開２０１１−２５５０１５号公報の内視鏡装置においては、ビデオプロセッサは、内視鏡と出射光ファイバコネクタ，受光ファイバコネクタ、電気コネクタを介して光学的又は電気的に接続される。
【先行技術文献】
【特許文献】
【０００３】
【特許文献１】特開２０１１−５０４１７号公報
【特許文献２】特開２０１１−２５５０１５号公報
【発明の概要】
【発明が解決しようとする課題】
【０００４】
上述したように第１及び第２のコネクタをそれぞれ着脱自在とする第１及び第２のレセプタクルを備えた構成において、例えば第２のコネクタとしての検出コネクタのみが検出レセプタクルに接続された状態においては、照明光が外部に照射される虞がある。このため、検出コネクタのみでは、検出レセプタクルに接続した状態に設定できないような構造にすることが望まれる。換言すると、出射レセプタクルに出射コネクタが接続されている状態においてのみ検出コネクタが検出レセプタクルに接続した状態に設定できるような構造にすることが望まれる。 
しかしながら、上記第１の従来例は、このような構造を開示していない。また、第２の従来例は、第１の従来例の場合と同様に、出射コネクタが接続されている状態においてのみ検出コネクタを検出レセプタクルに接続した状態に設定できるような構造にすることを開示していない。 
本発明は上述した点に鑑みてなされたもので、簡単な構成で、出射コネクタが接続されている状態においてのみ検出コネクタを接続した状態に設定できる光伝送装置を提供することを目的とする。
【課題を解決するための手段】
【０００５】
本発明の一態様の光伝送装置は、筐体と、前記筐体内に配置され、照明光を出力する光源と、前記筐体に設けられ、かつ第１のコネクタが接続可能であり、接続された第１のコネクタに前記光源からの照明光を入射させる出射レセプタクル部と、前記筐体内に配置され、光を検出する光検出部と、前記筐体に設けられ、かつ前記第１のコネクタとは異なる第２のコネクタが接続可能であり、接続された第２のコネクタから出射される光を前記光検出部に入射させる検出レセプタクル部と、前記出射レセプタクル部に接続される前記第１のコネクタとして、前記出射レセプタクル部から入射される前記照明光を被検体に照射するための挿入部に導波する出射コネクタと、前記検出レセプタクル部に接続される前記第２のコネクタとして、前記挿入部に入射された前記被検体からの光を導波して前記光検出部に出射し、かつ前記検出レセプタクル部に接続されている状態において前記出射コネクタと接触することで前記検出レセプタクル部との接続が保持される検出コネクタと、を有する。
【発明の効果】
【０００６】
本発明によれば、簡単な構成で、出射コネクタが接続されている状態においてのみ検出コネクタを接続した状態に設定できる。
【図面の簡単な説明】
【０００７】
【図１】図１は本発明の光伝送装置を形成する第１の実施形態の内視鏡装置の全体構成を示す図。
【図２】図２は装置本体を示す斜視図。
【図３】図３は、図２の装置本体における走査型内視鏡の照明コネクタ及び検出コネクタが着脱自在に接続される開口部内部の第１のレセプタクル及び第２のレセプタクル周辺の構造を示す側面断面図。
【図４】図４は走査型内視鏡の照明コネクタ及び検出コネクタを示す斜視図。
【図５】図５は第２のレセプタクルに検出コネクタが接続された接続状態における検出コネクタに設けた電極と第２のレセプタクルに設けた２つの電極との配置関係を示す図。
【図６】図６は、図２の装置本体に走査型内視鏡の照明コネクタを接続する様子を示す図。
【図７】図７は、照明コネクタが接続された装置本体に走査型内視鏡の検出コネクタを接続する様子を示す図。
【図８】図８は装置本体に走査型内視鏡の照明コネクタ及び検出コネクタを接続した状態を示す図。
【図９】図９は装置本体を照明コネクタ及び検出コネクタが接続された接続状態で示す側面断面図。
【図１０】図１０は、図９の接続状態を装置本体の正面側から見た正面図。
【発明を実施するための形態】
【０００８】
以下、図面を参照して本発明の実施形態を説明する。 
（第１の実施形態）
図１に示すように本発明の光伝送装置を形成する第１の実施形態の内視鏡装置１は、走査型内視鏡２と、この走査型内視鏡２が着脱自在に接続される内視鏡装置本体（以下、装置本体と略記）３と、装置本体３により生成された画像信号が入力されることにより、画像信号の画像を内視鏡画像として表示する表示装置としてのモニタ４とを有する。 
走査型内視鏡２は、被検体５内に挿入される挿入部６を有し、この挿入部６の基端（後端）から２本のケーブル７，８が延出され、ケーブル７，８の基端（後端）には装置本体３の光源部２１から出射される照明光としてのレーザ光を導光する第１のコネクタとして照明コネクタ９と、被検体５側からの戻り光を検出し、導光した検出光を画像生成部２３を構成する光検出部２３ａに出射する第２のコネクタとしての検出コネクタ１０とがそれぞれ設けられている。つまり、走査型内視鏡２は、２本のケーブル７，８にそれぞれ設けた照明コネクタ９と検出コネクタ１０からなる２つのコネクタを備えている。
【０００９】
照明コネクタ９と検出コネクタ１０は、装置本体３のほぼ箱形形状の収納容器としての筐体３ａの正面に設けたコネクタ接続用の開口部２０（図２参照）内に設けられた第１のレセプタクル１１と第２のレセプタクル１２（図３参照）とに接続可能にしている。図３に示すように、開口部２０には、上下方向に隣接して、第１のレセプタクル１１となる凹部と第２のレセプタクル１２となる凹部とが設けてある。 
第１のレセプタクル１１と第２のレセプタクル１２とは、図４に示す照明コネクタ９と検出コネクタ１０にそれぞれ嵌合する形状となっている。なお、図４においては、下側のコネクタが照明コネクタ９であり、その上側に検出コネクタ１０を、その底面の形状を示すために９０°回転した状態で示している。 
第１のレセプタクル１１は、装置本体３に設けた光源部２１（図１参照）により発生した照明光となるレーザ光を出射する出射レセプタクル部を構成し、この第１のレセプタクル１１に着脱自在に接続される照明コネクタ９には、第１のレセプタクル１１から出射されるレーザ光が入射される。
【００１０】
図４においては、第１のレセプタクル１１には、レーザ光を導光する光ファイバ２１ｃの出射端が配置されている。 
図１に示すように走査型内視鏡２のケーブル７及び挿入部６内には、レーザ光を導光する導光部材としての光ファイバ１３が挿通されており、この光ファイバ１３の基端は照明コネクタ９に至る。従って、第１のレセプタクル１１から出射されるレーザ光は、この光ファイバ１３の基端に入射される。光ファイバ１３は、入射されたレーザ光を、ケーブル７を経て挿入部６内を挿通された光ファイバ１３の先端に導光する。 
この照明コネクタ９は、出射レセプタクル部から入射される照明光としてのレーザ光を挿入部６側に導光する出射コネクタを形成する。 
挿入部６の先端部６ａ内には、光ファイバ１３（の先端）をその長手方向と垂直な２つの方向に振動させる走査部を形成するアクチュエータ１４が設けてあり、装置本体３に設けた駆動部２２により生成した駆動信号をアクチュエータ１４に印加することにより、アクチュエータ１４は、光ファイバ１３を振動させる。そして、振動した光ファイバ１３の先端から出射されるレーザ光は、被検体５上を２次元的に走査する。
【００１１】
被検体５を走査するように照射されたレーザ光は、被検体５により反射され、先端部６ａにリング状等に配置された検出用（又は受光用）の光ファイバ１５の先端面に入射される。 
光ファイバ１５の先端面に入射された（被検体５からの反射光又は戻り光を検出した）検出光は、この光ファイバ１５の基端に設けられた検出コネクタ１０に導光される。 
検出コネクタ１０が第２のレセプタクル１２に接続された状態（図９参照）においては、検出コネクタ１０に配置された光ファイバ１５の基端から第２のレセプタクル１１側に検出光を出射する。 
第２のレセプタクル１１近傍には、画像生成部２３を構成する光検出部２３ａが配置されており、光検出部２３ａは、入射される検出光を光電変換し、検出信号に変換する。図３に示すように光検出部２３ａは、（光ファイバ１５の基端から出射される）検出光を集光するレンズ３１と、レンズ３１により集光された検出光を受光して光電変換する光検出器３２とを有する。
【００１２】
上記検出コネクタ１０は、挿入部６（内に配置された光ファイバ１５の先端面）に入射された被検体５からの光を、その基端側に導波して光検出部２３ａに出射する検出コネクタを形成する。 
図１に示すように光検出部２３ａから出力される検出信号は、アンプ２３ｂにより増幅された後、画像処理回路２３ｃに入力され、画像処理回路２３ｃは、画像信号を生成し、モニタ４に出力する。 
図１に示すように装置本体３内の光源部２１は、例えば赤（Ｒ）、緑（Ｇ）、青（）Ｂのレーザ光を発生するレーザ光源２１ａと、Ｒ，Ｇ，Ｂのレーザ光を合波する合波器２１ｂとを有し、合波器２１ｂにより合波されたレーザ光は、光ファイバ２１ｃにより第１のレセプタクル１１に配置された先端面（出射面）に導光される。 
そして、照明コネクタ９が第１のレセプタクル１１に接続されると第１のレセプタクル１１は光ファイバ１３の基端にレーザ光が入射するようにレーザ光を出射する。 
装置本体３に設けた制御部２４は、レーザ光源２１ａの発光を制御すると共に、アクチュエータ１４を駆動する駆動部２２の制御を行う。
【００１３】
駆動部２２は、位相が９０°異なる２つの交流信号を発生する信号発生部２２ａと、２つの交流信号を増幅し、２つの駆動信号を出力するアンプ２２ｂと、信号発生部２２ａ又はアンプ２２ｂの動作を制御する駆動制御部２２ｃとを有する。 
駆動制御部２２ｃは、図示しない基準のクロック信号に同期して、２つの駆動信号の振幅を０から所定の振幅値となるまで連続的に変化させるように制御する。この制御により、光ファイバ１３の先端は、例えば渦巻き状（螺旋状）に走査するように振動する。また、制御部２４も図示しない基準のクロック信号に同期して、レーザ光源２１ａを離散的にパルス発光させるように制御する。そして、光ファイバ１３の先端は、渦巻き状（螺旋状）に走査する軌跡を描きながら離散的にパルス発光し、光ファイバ１５はパルス発光した際の被検体５からの反射光を検出する。 
なお、光ファイバ１３の先端が、渦巻き状（螺旋状）に走査する軌跡を描きながら離散的にパルス発光した際のレーザ光が照射された２次元位置は、図示しないメモリに予め格納されており、画像処理回路２３ｃは、このメモリに格納された各２次元位置に、光ファイバ１５により検出された各検出信号を対応付けるマッピング処理を行うことにより画像信号を生成する。
【００１４】
図１においては、照明コネクタ９，検出コネクタ１０，第１のレセプタクル１１及び第２のレセプタクル１２の概略を示しているが、本実施形態においては、以下に説明する構造にすることにより、簡単な構成で、装置本体３に出射コネクタを形成する照明コネクタ９が接続されている状態においてのみ検出コネクタ１０を（第２のレセプタクル１２に接続した）接続状態に設定できるようにする。 
図４に示すように照明コネクタ９は、ケーブル７の基端において略直方体形状の照明コネクタ本体９ａを有し、その上面には例えばＴ字形状の凸部となるガイド部９ｂが設けてある。また、ケーブル７と反対側の端面（接続面）から光ファイバ１３の円柱形状の口金１３ａが突出している。 
図３に示すように照明コネクタ９が接続される第１のレセプタクル１１は、上面にガイド部９ｂが設けられた照明コネクタ本体９ａの一部が嵌合するように挿入される第１の凹部１１ａと、この第１の凹部１１ａの奥に、口金１３ａに嵌合する口金接続用凹部１１ｂとを設けたレセプタクル本体３３が配置され、このレセプタクル本体３３は、支持部材３４により筐体３ａに固定されている。
【００１５】
なお、レセプタクル本体３３における口金接続用凹部１１ｂの入口付近には、シャッタ１１ｃを回動自在に保持する回動軸１１ｄが設けられている。図３に示す状態では、仮に光ファイバ２１ｃからレーザ光が出射される状態になった場合においても、そのレーザ光はシャッタ１１ｃにより遮光され、第１のレセプタクル１１から外部にレーザ光が漏れることを防止する。しかし、シャッタ１１ｃが故障したような場合を考慮して、仮にシャッタ１１ｃが遮光しない故障の状態においても本実施形態においては第２のレセプタクル１２に検出コネクタ１０が接続された状態にならないと、光ファイバ２１ｃがレーザ光を出射しないようにレーザ光源２１ａを制御する２重の防御機能を設けている。 
後述するように第１のレセプタクル１１に照明コネクタ９が接続する際に、口金１３ａが口金接続用凹部１１ｂ内に挿入すると、口金１３ａの先端がシャッタ１１ｃを押圧して、シャッタ１１ｃを回動軸１１ｄの回りで回転させ、シャッタ１１ｃがレーザ光の出射光路から退避した状態となる（図９参照）。 
そして、口金１３ａ（の光ファイバ入射端）には、光ファイバ２１ｃからのレーザ光が入射可能な状態になる。
【００１６】
また、図４に示すように検出コネクタ１０はケーブル８の基端に略直方体形状の検出コネクタ本体１０ａを有し、その底面には照明コネクタ９の上面に設けたガイド部９ｂに嵌合するＴ字形状の凹部となる嵌合部１０ｂが設けてある。また、ケーブル８と反対側の端面（接続面）から光ファイバ１５の円柱形状の口金１５ａが突出している。なお、この口金１５ａは、上記口金１３ａの外径より大きな外径を有する。 
図３に示すように検出コネクタ１０が接続される第２のレセプタクル１２は、底面に嵌合部１０ｂが設けられた検出コネクタ本体１０ａの一部が嵌合するように挿入される第２の凹部１２ａと、この第２の凹部１２ａの奥に、口金１５ａに嵌合する口金接続用凹部１２ｂとを設けたレセプタクル本体３３が配置されている。 
レセプタクル本体３３には、第１の凹部１１ａが第２の凹部１２ａの下側となるように隣接して第１の凹部１１ａと第２の凹部１２ａとが上下方向に（第１の凹部１１ａと第２の凹部１２ａとを仕切る部材を設けることなく）隣接して設けられている。 
また、第１の凹部１１ａと第２の凹部１２ａとの上下方向の高さは、照明コネクタ９の上面のガイド部９ｂに、底面に設けた嵌合部１０ｂを嵌合させた状態の照明コネクタ９と検出コネクタ１０とを重ねた高さに殆ど等しい値（前者の高さは後者の高さより僅かに大きな値）に設定されている。
【００１７】
そして、第１のレセプタクル１１と第２のレセプタクル１２に、照明コネクタ９と検出コネクタ１０とを接続した状態においては、照明コネクタ９の上面が検出コネクタ１０の底面に接触して、照明コネクタ９が検出コネクタ１０を（その接続状態を）保持する保持部の機能を備えた構成にしている。 
上記のように、第１の凹部１１ａと第２の凹部１２ａとは仕切る部材が設けてなく、共通となる凹部となっているため、照明コネクタ９を接続しないで、検出コネクタ１０のみを第２のレセプタクル１２に接続すると、保持部が無いため、第２のレセプタクル１２はその重量により第２のレセプタクル１２から外れてしまうようにしている。 
また、検出コネクタ１０の上面には、例えば３つの電極３５ａ，３５ｂ、３５ｃ（図７参照、図１では３５で表記）が設けてある。電極３５ａ，３５ｂは、検出コネクタ１０内及びケーブル８内を挿通された駆動線３６ａ，３６ｂ（図１においては１本の駆動線３６で略記）の基端と接続され、駆動線３６ａ，３６ｂの他端はアクチュエータ１４における直交する２つの方向に駆動信号が印加される電極に接続される。なお、電極３５ｃは、図示しないグラウンド線に接続される。
【００１８】
また、第２のレセプタクル１２を構成する第２の凹部１２ａの上部内壁には、この第２の凹部１２ａに嵌合した接続状態における検出コネクタ１０の電極３５ａ，３５ｂ，３５ｃに当接する接続電極３７ａ，３７ｂ，３７ｃ（図１，図３では３７で表記）が設けてある。 
接続電極３７ａ，３７ｂは、装置本体３内の駆動線３８ａ，３８ｂ（図１では３８）を介してアンプ２２ｂの出力端に接続される。また接続電極３７ｃは、装置本体３内の図示しないグラウンド線に接続される。 
また、接続電極３７ａは、例えば図５に示すように２つの電極３９ａ，３９ｂにより構成され、電極３９ａは、駆動線３８ａを介してアンプ２２ｂの出力端に接続され、２つの電極３９ａ，３９ｂは信号線４１ａ、４１ｂを介してその導通を検出する導通検出回路４０に接続される。 
なお、図５は、第２のレセプタクル１２に検出コネクタ１０が接続された接続状態における検出コネクタ１０の上面に設けた電極３５ａと、第２のレセプタクル１２の第２の凹部１２ａの上部内壁に設けた２つの電極３９ａ，３９ｂの配置関係を示す。
【００１９】
図５に示すように第２のレセプタクル１２に検出コネクタ１０が接続された接続状態においては、２つの電極３９ａ，３９ｂはその下側に対向して接触する電極３５ａを介して導通状態（ＯＮ）になる。従って、導通検出回路４０は、２つの電極３９ａ，３９ｂが導通する導通状態（ＯＮ）として検出する。 
これに対して第２のレセプタクル１２に検出コネクタ１０が接続されていない状態においては２つの電極３９ａ，３９ｂは、導通しない非導通状態（ＯＦＦ）となり、導通検出回路４０は、非導通状態（ＯＦＦ）として検出する。 
導通検出回路４０は、２つの電極３９ａ，３９ｂのＯＮ，ＯＦＦを検出することにより、第２のレセプタクル１２に検出コネクタ１０が接続されているか否かを検出（検知）する接続検出部又は接続検知部を形成する。 
導通検出回路４０は、検出結果を装置本体３内の制御部２４に送り、制御部２４は、第２のレセプタクル１２に検出コネクタ１０が接続された接続状態に設定されている場合にのみ、レーザ光源２１ａを発光させるように制御する。
【００２０】
このように光伝送装置を構成する本実施形態の内視鏡装置１は、筐体３ａと、前記筐体３ａ内に配置され、照明光としてのレーザ光を出力する光源としてのレーザ光源２１ａと、前記筐体３ａに設けられ、かつ第１のコネクタが接続可能であり、接続された第１のコネクタに前記光源からの照明光を入射させる出射レセプタクル部を形成する第１のレセプタクル１１と、前記筐体３ａ内に配置され、光を検出する光検出部２３ａと、前記筐体３ａに設けられ、かつ前記第１のコネクタとは異なる第２のコネクタが接続可能であり、接続された第２のコネクタから出射される光を前記光検出部２３ａに入射させる検出レセプタクル部を形成する第２のレセプタクル１２と、前記出射レセプタクル部に接続される前記第１のコネクタとして、前記出射レセプタクル部から入射される前記照明光を被検体５に照射するための挿入部６に導波する出射コネクタを形成する照明コネクタ９と、前記検出レセプタクル部に接続される前記第２のコネクタとして、前記挿入部６に入射された前記被検体５からの光を導波して前記光検出部２３ａに出射し、かつ前記検出レセプタクル部に接続されている状態において前記出射コネクタと接触することで前記検出レセプタクル部との接続が保持される検出コネクタ１０と、を有することを特徴とする。
【００２１】
次に本実施形態の動作を説明する。図６〜図１０は、装置本体３の開口部２０に設けた第１のレセプタクル１１及び第２のレセプタクル１２からなるレセプタクルに、走査型内視鏡２の照明コネクタ９及び検出コネクタ１０からなるコネクタを接続して接続状態に設定する場合の説明図を示す。 
上記レセプタクルに上記コネクタを接続する場合、図６に示すように、照明コネクタ９を開口部２０に挿入し、第１のレセプタクル１１に照明コネクタ９を接続する。 
第１のレセプタクル１１に照明コネクタ９を接続すると、図７に示すように開口部２０の略下側半分が照明コネクタ９により占有された状態となり、照明コネクタ９の上面にはガイド部９ｂとなる凸部が、接続方向に配置された状態となる。 
この状態の開口部２０に対して、図７に示すように検出コネクタ１０をその底面の嵌合部１０ｂをガイド部９ｂに嵌合するように接触させて接続方向に沿って挿入する操作を行う。
【００２２】
このような挿入操作を行うことにより、図８に示すように開口部２０の第１のレセプタクル１１及び第２のレセプタクル１２に、走査型内視鏡２の照明コネクタ９及び検出コネクタ１０を簡単に接続状態に設定することができる。 
図８のように接続状態に設定した場合の開口部２０周辺の側面断面は図９に示すようになる。また、接続状態における照明コネクタ９及び検出コネクタ１０の後方側から装置本体３を見た場合の正面図は、図１０のようになる。 
この接続状態においては、検出コネクタ１０は、その底面が照明コネクタ９の上面に接触して、照明コネクタ９は、第２のレセプタクル１２に接続された検出コネクタ１０の接続状態を保持する。 
また、このように第２のレセプタクル１２に検出コネクタ１０が接続されると、検出コネクタ１０の上面に設けた電極３５ａ，３５ｂ、３５ｃが第２のレセプタクル１２の内壁に設けた接続電極３７ａ，３７ｂ，３７ｃにそれぞれ接触する。 
また、この際、非導通状態の電極３９ａ，３９ｂは、図５に示すように電極３５ａに接触（当接）して導通状態になり、導通検出回路４０は、電極３９ａ，３９ｂが導通状態になったことを検出し、制御部２４に通知する。制御部２４は、導通状態の検出結果を受けて、（非導通状態においては発光を禁止していた）光源部２１を発光させるように制御する。
【００２３】
このように動作する本実施形態によれば、簡単な構成で、出射コネクタが接続されている状態においてのみ検出コネクタが接続した状態に設定できる。 
つまり、本実施形態においては、開口部２０の下側に設けた第１のレセプタクル１１に出射コネクタとしての照明コネクタ９を接続しないと、その上側の第２のレセプタクル１２に検出コネクタ１０を接続状態に保持（維持）できないようにしている。例えば、第１のレセプタクル１１に照明コネクタ９を接続しない状態において、検出コネクタ１０を第２のレセプタクル１２に接続した場合、その検出コネクタ１０が重力により下側に落ちるのを支えるような構造物が存在しないために、検出コネクタ１０を第２のレセプタクル１２に接続した状態を維持できない。 
また、図５において説明したように検出コネクタ１０が第２のレセプタクル１２に接続された状態になった場合においてのみ、制御部２４は光源部２１のレーザ光源２１ａを発光させるように制御する。 
このため、第１のレセプタクル１１に照明コネクタ９を接続しない状態において、検出コネクタ１０が第２のレセプタクル１２に接続された状態の場合において、仮にシャッタ１１ｃが遮光しない故障した状態になったとしても、開口部２０を経て装置本体の外部にレーザ光を出射してしまうようなことを確実に防止することができる。
【００２４】
なお、上述した第１の実施形態においては、電極３５ａ，３５ｂ，３５ｃを、検出コネクタ１０の上面にもうけた例を説明したが、検出コネクタ１０の側面に設けるようにしても良い。この場合、第２のレセプタクル１２に設ける接続電極３７ａ，３７ｂ，３７ｃも挿入された検出コネクタ１０の側面の電極３５ａ，３５ｂ，３５ｃにそれぞれ当接するように側面の内壁に設けるようにする。 
また、上述した第１の実施形態においては、照明コネクタ９の上面に凸部となるガイド部９ｂを設け、検出コネクタ１０の底面には凸部に嵌合する凹部となる嵌合部１０ｂを設けたが、照明コネクタ９の上面に凹部となるガイド部９ｂ、検出コネクタ１０の底面には凸部となる嵌合部１０ｂをそれぞれ設けるようにしても良い。 
また、照明コネクタ９、検出コネクタ１０の形状は、直方体に近い形状の場合に限定されるものでなく、楕円柱形状や円柱形状に近い形状にしても良い。 
また、上述した第１の実施形態においては、光源部２１がレーザ光を出射するレーザ光源２１ａを備える構成を説明したが、光源部２１が発光ダイオード（ＬＥＤ）による照明光や、ハロゲンランプやキセノンランプによる照明光を発生する光源の場合にも適用することができる。
【符号の説明】
【００２５】
１…内視鏡装置、２…走査型内視鏡、３…装置本体、４…モニタ、５…被検体、６…挿入部、７，８…ケーブル、９…照明コネクタ、９ａ…照明コネクタ本体、９ｂ…ガイド部、１０…検出コネクタ、１０ａ…検出コネクタ本体、１０ｂ…嵌合部、１１…第１のレセプタクル、１２…第２のレセプタクル、１３，１５…光ファイバ、１４…アクチュエータ、２０…開口部、２１…光源部、２１ａ…レーザ光源、２２…駆動部、２２ｂ…アンプ、２３…画像生成部、２３ａ…光検出部、２４…制御部、４０…導通検出回路、
【図１】
2017023605.tif 000003
【図２】
2017023605.tif 000004
【図３】
2017023605.tif 000005
【図４】
2017023605.tif 000006
【図５】
2017023605.tif 000007
【図６】
2017023605.tif 000008
【図７】
2017023605.tif 000009
【図８】
2017023605.tif 000010
【図９】
2017023605.tif 000011
【図１０】
2017023605.tif 000012